【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
ハウジングと、表示画面アセンブリと、カメラと、プロセッサとを備える電子機器であって、
前記表示画面アセンブリは、前記ハウジング上に配置された表示画面アセンブリであって、前記表示画面アセンブリおよび前記ハウジングは協働して収容チャンバを形成し、前記表示画面アセンブリは透明実体領域および不透明領域を備え、前記透明実体領域はデータ情報を表示するように構成された複数の画像ピクセルを備え、前記不透明領域はデータ情報を表示するように構成された複数の画像ピクセルを備え、前記透明実体領域を取り囲み、
前記カメラは、前記収容チャンバ内に配置されたカメラであって、前記カメラは前記透明実体領域に対応し、前記透明実体領域を通過する光を受光して前記電子機器の外部の第１のシーンおよび前記電子機器の内部の第２のシーンを含む初期画像を取得し、取得した前記初期画像を前記プロセッサに送信するように構成され、
前記プロセッサは、前記初期画像を処理して、前記電子機器の外部の前記第１のシーンを含み前記第２のシーンを含まないターゲット画像を得るように構成された、
電子機器。
【請求項２】
前記透明実体領域の前記複数の画像ピクセル上にデータ情報が表示されていないときに、前記透明実体領域用にキャプチャされた事前格納画像を格納するように構成されているメモリ
を更に備えることを特徴とする、請求項１に記載の電子機器。
【請求項３】
前記プロセッサは、前記透明実体領域の前記複数の画像ピクセルが前記データ情報を表示しているときに、前記透明実体領域上に表示された画像をリアルタイムで取得するように更に構成されており、
前記第２のシーンは、前記表示された画像に対応する第１のサブシーンと、前記事前格納画像に対応する第２のサブシーンとを含み、
前記プロセッサは、前記初期画像、前記表示された画像、および前記事前格納画像に基づき、前記第１のサブシーンおよび前記第２のサブシーンを前記初期画像から除去して、前記第１のシーンを含み前記第２のシーンを含まない前記ターゲット画像を得るように更に構成されていることを特徴とする、請求項２に記載の電子機器。
【請求項４】
前記第２のシーンは前記事前格納画像に対応し、
前記プロセッサは、前記初期画像および前記事前格納画像に基づき、前記初期画像から前記第２のシーンを除去して、前記第１のシーンを含み前記第２のシーンを含まない前記ターゲット画像を得るように更に構成されていることを特徴とする、請求項２に記載の電子機器。
【請求項５】
前記電子機器は、
前記カメラが前記初期画像を取得しているときに、前記透明実体領域の前記複数の画像ピクセルに表示される色を制御して、前記透明実体領域をフィルタとして機能させるように構成されている制御部
を更に備えることを特徴とする、請求項１から４のいずれか一項に記載の電子機器。
【請求項６】
前記電子機器は、
前記カメラが前記初期画像を取得しているときに、前記透明実体領域を制御して白色光を放出させて、前記透明実体領域をフラッシュライトとして機能させるように構成されている制御部
を更に備えることを特徴とする、請求項１から４のいずれか一項に記載の電子機器。
【請求項７】
前記表示画面アセンブリに垂直な方向への前記透明実体領域の中心点の投影が、前記表示画面アセンブリに垂直な方向への前記カメラの中心点の投影と重なっていることを特徴とする、請求項１から６のいずれか一項に記載の電子機器。
【請求項８】
前記表示画面アセンブリに垂直な方向への前記透明実体領域の投影が、前記表示画面アセンブリに垂直な方向への前記カメラの投影を覆っていることを特徴とする、請求項１から７のいずれか一項に記載の電子機器。
【請求項９】
前記表示画面アセンブリは、表示画面を備え、前記表示画面はＯＬＥＤ表示画面、フレキシブルＯＬＥＤ表示画面およびＡＭＯＬＥＤ表示画面のいずれかであることを特徴とする、請求項１から８のいずれか一項に記載の電子機器。
【請求項１０】
前記表示画面アセンブリは、前記表示画面上に配置されたカバーをさらに備え、前記カバーはタッチスクリーンカバーであることを特徴とする、請求項９に記載の電子機器。
【請求項１１】
電子機器が画像を取得するための画像取得方法であって、前記電子機器は表示画面アセンブリを備え、前記表示画面アセンブリは、透明実体領域および不透明領域を備え、前記透明実体領域はデータ情報を表示するように構成された複数の画像ピクセルを備え、前記不透明領域はデータ情報を表示するように構成された複数の画像ピクセルを備え、前記透明実体領域を取り囲み、
前記画像取得方法は、
前記電子機器の外部の第１のシーンおよび前記電子機器の内部の第２のシーンを含む初期画像を取得することと、
前記初期画像を処理して、前記電子機器の外部の前記第１のシーンを含み前記第２のシーンを含まないターゲット画像を得ることと
を含む、画像取得方法。
【請求項１２】
前記透明実体領域の前記複数の画像ピクセル上にデータ情報が表示されていないときに、前記透明実体領域用にキャプチャされた事前格納画像を格納すること
を更に備えることを特徴とする、請求項１１に記載の画像取得方法。
【請求項１３】
前記初期画像を処理して前記ターゲット画像を取得することは、
前記透明実体領域の前記複数の画像ピクセルが前記データ情報を表示しているときに、前記透明実体領域上に表示された画像をリアルタイムで取得することであって、前記第２のシーンは、前記表示された画像に対応する第１のサブシーンと、前記事前格納画像に対応する第２のサブシーンとを含む、ことと、
前記初期画像、前記表示された画像、および前記事前格納画像に基づき、前記第１のサブシーンおよび前記第２のサブシーンを前記初期画像から除去して、前記第１のシーンを含み前記第２のシーンを含まない前記ターゲット画像を取得することと
を含むことを特徴とする、請求項１２に記載の画像取得方法。
【請求項１４】
前記初期画像を処理して前記ターゲット画像を取得することは、
前記透明実体領域の前記複数の画像ピクセル上にデータ情報が表示されていないときに、前記透明実体領域上に表示された画像をリアルタイムで取得することであって、前記第２のシーンは前記事前格納画像に対応する、ことと、
前記初期画像および前記事前格納画像に基づき、前記初期画像から前記第２のシーンを除去して、前記第１のシーンを含み前記第２のシーンを含まない前記ターゲット画像を得ることと
を含むことを特徴とする、請求項１２に記載の画像取得方法。
【請求項１５】
前記電子機器の外部の前記第１のシーンと前記電子機器の内部の前記第２のシーンとを含む前記初期画像を取得する前に、
前記透明実体領域の前記複数の画像ピクセルに表示される色を制御して、前記透明実体領域をフィルタとして機能させること
を更に含むことを特徴とする、請求項１１から１４のいずれか一項に記載の画像取得方法。
【請求項１６】
前記電子機器の外部の前記第１のシーンと前記電子機器の内部の前記第２のシーンとを含む前記初期画像を取得する前に、
前記透明実体領域を制御して白色光を放出させて、前記透明実体領域をフラッシュライトとして機能させること
を更に含むことを特徴とする、請求項１１から１５のいずれか一項に記載の画像取得方法。
【請求項１７】
電子機器に適用された表示画面アセンブリであって、前記電子機器はハウジングおよびカメラを備え、前記表示画面アセンブリは前記ハウジング上に配置されて、前記ハウジングと協働して収容チャンバを形成しており、前記カメラは前記収容チャンバ内に配置されている、表示画面アセンブリにおいて、前記表示画面アセンブリは、
データ情報を表示するように構成された複数の画像ピクセルを備え、前記収容チャンバ内の前記カメラの位置に対応する位置に配置されている、透明実体領域と、
データ情報を表示するように構成された複数の画像ピクセルを備え、前記透明実体領域を取り囲んでいる不透明領域と
を備え、
前記カメラは、前記透明実体領域を通過する光を受光して、前記電子機器の外部の第１のシーンおよび前記電子機器の内部の第２のシーンを含む初期画像を取得するように適合されていることを特徴とする、表示画面アセンブリ。
【請求項１８】
前記表示画面アセンブリに垂直な方向への前記透明実体領域の中心点の投影が、前記表示画面アセンブリに垂直な方向への前記カメラの中心点の投影と重なっていることを特徴とする、請求項１７に記載の表示画面アセンブリ。
【請求項１９】
前記表示画面アセンブリに垂直な方向への前記透明実体領域の投影が、前記表示画面アセンブリに垂直な方向への前記カメラの投影を覆っていることを特徴とする、請求項１７に記載の表示画面アセンブリ。
【請求項２０】
表示画面と、
前記表示画面上に配置されたカバーと、を更に備え、
前記表示画面は、透明領域と、前記透明領域と一緒に前記透明実体領域を形成する、前記透明領域に対応する前記カバーの一部とを有することを特徴とする、請求項１７に記載の表示画面アセンブリ。